(57)【要約】［課題］ユーザがウェブサイトに訪れた瞬間に、前回訪れたときに最後に閲覧したページの画面を瞬時に表示できる仕組みを提供する。［解決手段］ウェブサーバ（２０）が、ユーザ端末（１）から要求されたウェブサイト（１０）のページの画面データを返信する際に、そのページのページアドレスを最終閲覧アドレスとしてブラウザ（１ａ）を通じて記憶部（１ｂ）に記録するステップと、ユーザ端末（１）からウェブサイト（１０）へのアクセス要求を受け付けた時に記憶部（１ｂ）のデータを読み取り、最終閲覧アドレスが記録されていると判定した場合は、トップページ部（ＴＰ）の替わりに最終閲覧アドレスに対応するページ部のデータをユーザ端末（１）に返信し、ユーザ端末（１）の表示部に表示させるステップと、を含む構成とする。
2010100765.tif 000002
【特許請求の範囲】
【請求項１】
ネットワークを介して接続されるユーザ端末からのウェブサイトへのアクセス要求を処理するサーバにおいて、前記ウェブサイトのトップページ部以外のページ部に最初のアクセスをもたらすウェブページ誘導方法であって、
前記サーバが、
前記ユーザ端末から要求されたページ部の画面データを前記ユーザ端末に返信すると共に、前記ページ部のページアドレスを最終閲覧アドレスとして前記ユーザ端末のブラウザを通じて端末側記憶部に記録する処理を実行する第１のステップと、
前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させる第２のステップと、
を含むことを特徴とするウェブページ誘導方法。
【請求項２】
前記第１のステップは、前記ユーザ端末のクッキー機能を用いて前記最終閲覧アドレスを前記端末側記憶部に記録する請求項１に記載のウェブページ誘導方法。
【請求項３】
前記ウェブサイトは、前記トップページ部とその下位層のリンクページ部とを用いて販売対象の商品に関する情報が階層的にページ展開されたウェブページを公開するＥＣサイトであって、前記第１のステップは、前記最終閲覧アドレスを前記端末側記憶部に記録する際、リンク元のページ部に貼付されているリンクの情報に基づいて該リンク元のページ部が前記販売対象の商品の関連ページか否かを判定し、関連ページでないと判定したページは記録の対象外とする請求項１又は２に記載のウェブページ誘導方法。
【請求項４】
前記ウェブページは、販売対象商品のカテゴリの選択メニューを含むトップページ部と、当該カテゴリに属する商品の解説情報が掲載された１階層以上の商品解説ページ部と、当該商品の購入情報が掲載された商品購入ページ部と、を含む請求項１乃至３のいずれかに記載のウェブページ誘導方法。
【請求項５】
ウェブサイトのトップページ部とその下位層のリンクページ部とを用いて販売対象の商品に関する情報が階層的にページ展開されたウェブページのデータを記憶するデータベースと、ネットワークを介して接続されるユーザ端末のブラウザからの要求に応じて前記ウェブページの中から当該ページ部の画面データを前記ユーザ端末に送信するサーバと、を備えたシステムであって、
前記サーバは、
前記ユーザ端末からの閲覧要求に応じて、要求されたページ部の画面データを前記ユーザ端末に返信すると共に、前記ページ部のページアドレスを最終閲覧アドレスとして前記ユーザ端末のブラウザを通じて端末側記憶部に記録する処理を実行する最終閲覧アドレス記録処理手段と、
前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させるトップページ切替制御手段と、
を有することを特徴とするシステム。
【請求項６】
ウェブサイトのトップページ部とその下位層のリンクページ部とを用いて販売対象の商品に関する情報が階層的にページ展開されたウェブページを記憶する手段と、ネットワークを介して接続されるユーザ端末のブラウザからの要求に応じて前記ウェブページの中から当該ページ部の画面データを前記ユーザ端末に送信する手段と、を有するコンピュータにおいて実行されるプログラムであって、
前記コンピュータを、
前記ユーザ端末からの閲覧要求に応じて、要求されたページ部の画面データを前記ユーザ端末に返信すると共に、前記ページ部のページアドレスを最終閲覧アドレスとして前記ユーザ端末のブラウザを通じて端末側記憶部に記録する処理を実行する最終閲覧アドレス記録処理手段、及び
前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させるトップページ切替制御手段、として機能させることを特徴とするプログラム。
【発明の詳細な説明】
【技術分野】
【０００１】
本発明は、ウェブサイトのトップページ以外のページに最初のアクセスをもたらすウェブページ誘導方法に関し、特に、多数の商品に関する情報が階層的にページ展開されているウェブサイトにおいて、そのウェブサイトにユーザが再度訪れた際に、ユーザ端末側でリンクを辿る操作をすることなく、ユーザ端末側の画面上に所望のページを瞬時に表示させることが可能なウェブページ誘導方法に関する。
【背景技術】
【０００２】
販売者のウェブページへユーザを誘導する手段を備えたコンピュータシステムとしては、アフィリエイトプログラムを実施するＡＳＰ（Ａｆｆｉｌｉａｔｅ  Ｓｅｒｖｉｃｅ  Ｐｒｏｖｉｄｅｒ）システムが知られている。ＡＳＰシステム（以下「アフィリエイトシステム」と呼ぶ）においては、例えば、メールマガジンやウェブログのページ上に貼付された誘導用リンク（以下、広告バナーを含めて「アフィリエイトリンク」と呼ぶ）を通じて商品の購入が行われた際に、上記商品の紹介者であるアフィリエイタに対して所定の報酬を支払うサービスを実行する形態としている。
図１を参照して、アフィリエイトリンクを用いた目的サイトへの一般的な誘導方法について説明する。ここでは、商品を紹介するページを起点ＡＰとし、商品を販売するウェブサイトのトップページＴＰを目的地点として、起点ＡＰから目的地点ＴＰへとユーザ（商品の購入希望者）を誘導する方法を説明する。
アフィリエイトシステムにおいては、先ず、商品の紹介者であるアフィリエイタ１が、例えば自分のホームページＡＰに、目的のウェブサイト（その商品を販売する仮想店舗）のトップページＴＰへのアフィリエイトリンクＡＬを貼る。そして、そのアフィリエイタ１Ｂのウェブログを見たユーザ１Ａが、上記ホームページＡＰ上のアフィリエイトリンクＡＬをクリックすることで、その商品を販売するウェブサイトのトップページＴＰへの誘導を行う形態としている（非特許文献１を参照）。
上述のように、アフィリエイトシステムにおいては、自分のウェブログ等のページに貼付されたアフィリエイトリンクに基づいて、目的のサイト又はその商品が含まれるウェブページへユーザを誘導するようにしているが、もしもアフィリエイトリンクが商品ページに直接誘導するものでなかった場合は、目的のサイトへ誘導しても、ユーザがその商品ページに辿り着くか否かは不明であり、また、もしも辿り着いたとしても、複数回のマウス・クリックによる画面遷移を意思を持って行う必要がある。
実際には、多くの誘導されたユーザは、意思を持って商品に辿り着くことは稀であり、サイトに誘導した瞬間にその画面に商品がなければ、購入に至る販売効率（コンバージョン・レート）は限りなくゼロに近い数字となる。つまり、この場合、せっかく誘導しても消費行動が行われないことを意味している。
【先行技術文献】
【非特許文献】
【０００３】
【非特許文献１】株式会社ツタヤオンライン、“アフィリエイトプログラムの仕組み”、［ｏｎｌｉｎｅ］、［２００９年１月７日検索］、インターネット〈ＵＲＬ：ｈｔｔｐ：／／ｗｗｗ．ｔｓｕｔａｙａ．ｃｏ．ｊｐ／ａｆｆｉｌｉａｔｅ／ｉｎｄｅｘ．ｚｈｔｍｌ〉
【特許文献】
【０００４】
【特許文献１】特許第４２２４１１６号公報
【発明の概要】
【発明が解決しようとする課題】
【０００５】
ところで、アフィリエイトリンクを用いない一般のサイトは、トップページにアクセスが集中するため、トップページ以外に掲載した商品は販売が難しい現状がある。しかし、多数の商品を取り扱うポータルサイトでは、全ての商品をトップページに掲載することはできないため、商品をサービスやカテゴリ又はサブカテゴリで分類しておき、階層的にページ展開しているのが現状である。すなわち、多数の商品を取り扱うポータルサイトは根本的な仕組みとしての問題点を持っていることが判る。そのため、バナー広告で主に収益が出るのはトップＵＲＬ（Ｕｎｉｆｏｒｍ  Ｒｅｓｏｕｒｃｅ  Ｌｏｃａｔｏｒ）のページだけで、その他のページではバナー広告などの収益に結びつけるのが難しい現状がある。
本発明は上述のような事情から成されたものであり、本発明の主要な目的は、ユーザがウェブサイトのトップページに訪れた瞬間に、そのトップページを経由することなく瞬時に目的のページ（例えば、そのサイトに前回訪れたときに最後に閲覧したページ）に辿り着くことができる仕組みを提供することにある。さらに、多数の商品を取り扱うサイトであっても商品のコンバージョン・レートを劇的に改善することができる仕組みを提供することにある。
【課題を解決するための手段】
【０００６】
本発明は、ウェブページ誘導方法及びシステム、並びにプログラムに関するものであり、
ウェブページ誘導方法に関しては、本発明の上記目的は、ネットワークを介して接続されるユーザ端末からのウェブサイトへのアクセス要求を処理するサーバにおいて、前記ウェブサイトのトップページ部以外のページ部に最初のアクセスをもたらすウェブページ誘導方法であって、前記サーバが、前記ユーザ端末から要求されたページ部の画面データを前記ユーザ端末に返信すると共に、前記ページ部のページアドレスを最終閲覧アドレスとして前記ユーザ端末のブラウザを通じて端末側記憶部に記録する処理を実行する第１のステップと、前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させる第２のステップと、を含むことによって達成される。
さらに、本発明の上記目的は、
前記第１のステップは、前記ユーザ端末のクッキー機能を用いて前記最終閲覧アドレスを前記端末側記憶部に記録すること、
前記ウェブサイトは、前記トップページ部とその下位層のリンクページ部とを用いて販売対象の商品に関する情報が階層的にページ展開されたウェブページを公開するＥＣサイトであって、前記第１のステップは、前記最終閲覧アドレスを前記端末側記憶部に記録する際、リンク元のページ部に貼付されているリンクの情報に基づいて該リンク元のページ部が前記販売対象の商品の関連ページか否かを判定し、関連ページでないと判定したページは記録の対象外とすること、
前記ウェブページは、販売対象商品のカテゴリの選択メニューを含むトップページ部と、当該カテゴリに属する商品の解説情報が掲載された１階層以上の商品解説ページ部と、当該商品の購入情報が掲載された商品購入ページ部と、を含むこと、
によってそれぞれ一層効果的に達成される。
また、システムに関しては、本発明の上記目的は、ウェブサイトのトップページ部とその下位層のリンクページ部とを用いて販売対象の商品に関する情報が階層的にページ展開されたウェブページのデータを記憶するデータベースと、ネットワークを介して接続されるユーザ端末のブラウザからの要求に応じて前記ウェブページの中から当該ページ部の画面データを前記ユーザ端末に送信するサーバと、を備えたシステムであって、前記サーバは、前記ユーザ端末からの閲覧要求に応じて、要求されたページ部の画面データを前記ユーザ端末に返信すると共に、前記ページ部のページアドレスを最終閲覧アドレスとして前記ユーザ端末のブラウザを通じて端末側記憶部に記録する処理を実行する最終閲覧アドレス記録処理手段と、前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させるトップページ切替制御手段と、を有することによって達成される。
また、プログラムに関しては、本発明の上記目的は、ウェブサイトのトップページ部とその下位層のリンクページ部とを用いて販売対象の商品に関する情報が階層的にページ展開されたウェブページを記憶する手段と、ネットワークを介して接続されるユーザ端末のブラウザからの要求に応じて前記ウェブページの中から当該ページ部の画面データを前記ユーザ端末に送信する手段と、を有するコンピュータにおいて実行されるプログラムであって、前記コンピュータを、前記ユーザ端末からの閲覧要求に応じて、要求されたページ部の画面データを前記ユーザ端末に返信すると共に、前記ページ部のページアドレスを最終閲覧アドレスとして前記ユーザ端末のブラウザを通じて端末側記憶部に記録する処理を実行する最終閲覧アドレス記録処理手段、及び前記ユーザ端末から前記ウェブサイトへのアクセス要求を受け付けた時に前記端末側記憶部のデータを読み取り前記最終閲覧アドレスが記録されているか否かを判定し、記録されていると判定した場合は、前記ウェブサイトのトップページ部の替わりに前記最終閲覧アドレスに対応するページ部の画面データを前記ユーザ端末に返信し前記ユーザ端末の表示部に表示させるトップページ切替制御手段、として機能させること、によって達成される。
【発明の効果】
【０００７】
本発明によれば、ユーザがウェブサイトのトップページに訪れた瞬間に、そのトップページを経由することなく、瞬時に目的のページ（前回訪れたときに最後に閲覧したページ）に辿り着くことが可能となる。また、ユーザが最終的に見たページをトップページ（仮想トップページ）として表示することができるので、実際のトップページに商品を掲載しなくても、多数の商品を他のページに分散して掲載し、それらのページをトップページの如く利用することが可能となる。言い換えると、トップページを無限に増やすことが可能となる。その結果、多数の商品を取り扱うサイトであっても商品の販売効率を劇的に改善することができる。
【図面の簡単な説明】
【０００８】
図１は、アフィリエイトプログラムを実施するシステムにおけるウェブページの一般的な誘導方法を説明するための模式図である。
図２は、本発明に係るウェブページ誘導方法を適用したシステムの全体構成の一例を示す模式図である。
図３は、本発明に係るウェブサーバの構成例を示すブロック図である。
図４は、本発明に係るウェブページ誘導方法とウェブサーバの動作例を説明するためのフローチャートである。
図５は、ウェブサイトで販売される商品の分類形態の一例を示す模式図である。
図６は、ウェブサイトのトップページとその下位層のリンクページとの対応関係の一例を示す模式図ある。
図７は、ウェブサイトのトップページの画面例を示す模式図である。
【発明を実施するための形態】
【０００９】
以下、本発明の好適な実施の形態について図面を参照して説明する。
《本発明に係るコンピュータネットワークシステムの構成》
図２は、本発明に係るウェブページ誘導方法を適用したコンピュータネットワークシステムの全体構成の一例を示す模式図である。なお、ここでは、デジタルコンテンツや物品を販売するシステム（以下「商品販売システム」と呼ぶ）に適用した場合を例として説明する。
図２において、商品販売システム３は、販売対象の商品に関する情報（以下「商品関連情報」と呼ぶ）をネットワーク上で公開するウェブサイト（以下「販売サイト」と呼ぶ）１０と、その販売サイト１０を提供するウェブサーバ２０と、上記商品関連情報が掲載されたウェブページのデータを記憶するページデータ保管データベース３０と、を備えており、ウェブサーバ２０は、インターネット等のネットワーク２を介してユーザ端末１と相互に通信可能に接続されている。
ユーザ端末１は、ブラウザ１ａを実装した情報処理端末であり、ウェブサーバ２０から受信した情報をクッキー（Ｃｏｏｋｉｅ）機能によって端末側の記憶部１ｂに記憶することが可能な通信端末であれば、パソコンに限らず、ＰＤＡ（Ｐｅｒｓｏｎａｌ  Ｄｉｇｉｔａｌ  Ａｓｓｉｓｔａｎｔｓ）等の携帯端末などインターネット接続機能を有する任意の情報処理装置を利用することができる。
販売サイト１０は、商品関連情報が階層的にページ展開されたウェブページをネットワーク上で公開するＥＣ（Ｅｌｅｃｔｒｏｎｉｃ  Ｃｏｍｍｅｒｃｅ）サイトであり、ウェブページは、図２に示すように、トップページ部ＴＰとその下位層のリンクページ部ＬＰとから構成され、各ページ部には、下位層のページアドレスを示すリンクＷＬが設けられている。
販売サイト１０の仮想店舗に出品される商品は、ネットワークを利用して販売される商品全般のことを言い、デジタル化された情報で構成されるデジタルコンテンツ（電子書籍、音楽データ、映像データ、メールマガジン等）の他に実際の物品（デジタルコンテンツを記憶した記憶媒体、印刷物、飲食物、鉱物など）を含んでおり、販売形態としては、ダウンロード販売、有料メールマガジン、物品販売に大別される。上記デジタルコンテンツは、例えば電子書籍の場合は、小説、ビジネス書、教科書、漫画本、写真集、趣味・実用書など、書籍をデジタルデータにし、ユーザが所有する購入者端末で読める形にしたものであり、デジタル化されたテキスト情報、音声情報、画像情報、又は映像情報のいずれか１つ以上の組み合わせで構成される電子書籍である。
ウェブサーバ２０は、ユーザ端末１からの販売サイト１０へのアクセス要求を処理する情報処理装置であり、ユーザ端末１からのページデータの取得要求（ブラウザのリクエスト）に応じて当該ページ部の画面データをユーザ端末１に送信するなど、ウェブページの処理を実行するウェブページ処理部２１と、ユーザ端末１からの購入要求に応じて当該商品の販売処理を実行する商品販売処理部２２と、を備えている。
ページデータ保管データベース３０は、ウェブページを構成するトップページ部ＴＰとその下位層のリンクページ部ＬＰのデータ群を保管するデータベースであり、それらのデータ群は、当該ページデータの保管場所を特定するための情報で関連付けられて記憶されている。
なお、上述した商品販売システム３の構成は、仮想店舗を有する一般的な商品販売システムの構成と同様であり、詳細な説明については説明を省略する。
《本発明に係るウェブサーバの構成》
次に、本発明に係るウェブサーバ２０の特徴的な構成について説明する。
本発明に係るウェブサーバ２０は、販売サイト１０をユーザが再訪問した時に、前回の訪問時に最後に表示したページを最初のページとしてユーザ端末１の表示部に表示させる機能を備えている。
図３は、上記機能を実現するためのウェブサーバ２０の構成例を示すブロック図であり、ウェブサーバ２０のウェブページ処理部２１は、販売サイト１０のトップページ以外のページに最初のアクセスをもたらす情報処理手段として、最終閲覧アドレス記録処理手段２１ａと、トップページ切替制御手段２１ｂとを備えている。また、商品販売処理部２２は、商品を販売するための情報処理手段として、メールマガジンを購読会員に配信するメールマガジン配信手段２２ａや、デジタル化されたコンテンツのユーザ端末１へのダウンロードによる販売処理を実行するダウンロード販売手段２２ｂ等を備えている。
上記各手段２１ａ〜２２ｂは、本実施の形態ではウェブサーバ２０のＣＰＵ２０Ａによって制御されるコンピュータプログラムで実現され、そのプログラムは、コンピュータによって読み取り可能な所定の記憶媒体（例えばＲＡＭ）に記憶されている。また、各手段２１ａ〜２２ｂの名称は、説明の便宜上で付与した名称であり、ソフトウェアの構成や処理の順序を限定するものではない。また、当該手段の一部若しくは全てをハードウェアで構成したものも本発明に含まれる。
以下に、本発明に係るウェブページ処理部２１内の手段２１ａ，２１ｂについて、より詳しく説明する。
（１）最終閲覧アドレス記録処理手段２１ａ
最終閲覧アドレス記録処理手段２１ａは、ユーザ端末１のブラウザ１ａから要求されたページ部の画面データをユーザ端末１に返信すると共に、そのページ部のデータの記憶場所を示すページアドレスを最終閲覧アドレスとして、当該データの要求元のユーザ端末１のブラウザ１ａを通じて端末側の記憶部（ウェブサイト情報保存部）１ｂに記録する処理を実行する。その際、本実施の形態では、ブラウザ１ａのクッキー機能を用いて上記最終閲覧アドレスを端末側の記憶部１ｂに記録するようにしている。具体的には、ＨＴＴＰ（Ｈｙｐｅｒｔｅｘｔ  Ｔｒａｎｓｆｅｒ  Ｐｒｏｔｏｃｏｌ）リクエストに対するＨＴＴＰレスポンスを返信する際に、クッキーの保持期間が所定期間（例えば９０日間）となるように有効期限の日時を設定し、最終閲覧アドレスを含むクッキーをＨＴＴＰヘッダ部にセットして返信することによって、上記最終閲覧アドレスを端末側の記憶部１ｂに記録する。
言い換えると、最終閲覧アドレス記録処理手段２１ａは、例えば、ユーザ端末１からの販売サイト１０へのトップページ部ＴＰへのアクセス要求を受け付けた後、ウェブページ上に表示されているリンク部のクリック操作やＵＲＬの入力操作など、ユーザ端末１側でのユーザによる指示操作に応じて、販売サイト１０内のリンク先のリンクページ部ＬＰへ移動（ジャンプ）する処理を実行する毎に、移動後のページ部のページアドレスを最終閲覧アドレスとして、ユーザ端末１のブラウザ１ａを通じて端末側の記憶部１ｂに記録される最終閲覧アドレスを更新する処理を実行する。
また、最終閲覧アドレス記録処理手段２１ａでは、最終閲覧アドレスを端末側の記憶部１ｂに記録する際、リンク元のページ部に貼付されているリンクの情報（例えば、ＵＲＬ内のパス名、若しくはカテゴリＩＤ，サブカテゴリＩＤ，商品ＩＤ等の商品関連情報）に基づいて、リンク元のページ部が販売対象の商品の関連ページか否かを判定し、関連ページでないと判定したページは記録の対象外とする形態とするのが好ましい。
なお、端末側の記憶部１ｂに記録する最終閲覧アドレスは、ウェブサイト内で特定可能なページアドレス（当該データの記憶場所を特定するための情報）であれば良く、ＵＲＬやＵＲＬ内のパス名に限るものではない。
（２）トップページ切替制御手段２１ｂ
トップページ切替制御手段２１ｂは、ユーザ端末１のブラウザ１ａから販売サイト１０へのアクセス要求を受け付けた時に、端末側の記憶部１ｂの情報（ブラウザ１ａから受信したクッキー情報）を読み取り、ユーザ端末１側に最終閲覧アドレスが記録されているか否かを判定し、記録されていると判定した場合は、販売サイト１０のトップページ部の替わりに、上記最終閲覧アドレスに対応するページ部の画面データをユーザ端末１に返信し、ユーザ端末１の表示部に表示させる処理を実行する。
《本発明に係るウェブサーバ２０の動作例》
上述のような構成において、図２の模式図及び図４のフローチャートを参照して、本発明に係るウェブページ誘導方法を適用したウェブサーバ２０の動作例を説明する。なお、ここでは、既に説明済みの処理については簡略化又は省略し、トップページ以外のページに最初のアクセスをもたらす誘導方法に関するウェブサーバ２０の主要な動作例について説明する。
ウェブサーバ２０のウェブページ処理部２１は、ユーザ端末１のブラウザ１ａから販売サイト１０のトップページ部（ｈｔｔｐ：／／ｗｗｗ．ｘｙｚ．ｊｐ）若しくはリンクページ部（パス名が指定されたＵＲＬ）に対するアクセス要求を受信すると（ステップＳ１）、ユーザ端末１側の記憶部１ｂのデータ（クッキー情報）を読み取り（ステップＳ２）、例えばクッキー名が「ＬａｓｔｐａｇｅＡｄｄ」の内容が空（ＮＵＬＬ）か否かによって、最終閲覧アドレスが記録されているか否かを判定する（ステップＳ３）。
上記ステップＳ３において、最終閲覧アドレスが記録されていないと判定した場合は、トップページ部ＴＰのウェブデータを要求元のユーザ端末１に返信し、販売サイト１０のトップページの画面をユーザ端末１の表示部に表示させる（ステップＳ４）。
続いて、ユーザ端末１との間のセッション切断要求を受けか否かを判定し（ステップＳ５）、セッション切断要求を受けたのでなければ、ユーザ端末１側でのリンク部の指示操作などによる他のページ部へのアクセス要求を受信したか否かを判定し（ステップＳ６）、他のページ部へのアクセス要求がない場合は、ユーザ端末１からの要求待ちとする。
そして、上記ステップＳ６において、他のページ部へのアクセス要求を受けたと判定した場合は、アクセス要求を受けたページ部のページアドレス（リンク先のページアドレス）を最終閲覧アドレスとしてクッキー情報を生成し、そのクッキー情報を応答ヘッダ部に設定して（ステップＳ７）、リンク先のページ部の画面データを要求元のユーザ端末１に返信し、リンク先のページＬＰをブラウザ１ａを通じて表示部に表示すると共に、端末側の記憶部１ｂに最終閲覧アドレスを記憶する（ステップＳ８）。そして、ステップＳ５に戻り、ユーザ端末１との間のセッションが切断されるまで、ステップＳ６〜ステップＳ８の処理を繰り返す。
一方、上記ステップＳ３において、ユーザ端末１からのアクセス要求がトップページ部に対するアクセス要求で且つ最終閲覧アドレスが記録されていると判定した場合は、トップページ部ＴＰの替わりに、最終閲覧アドレスに対応するページ部のウェブデータを要求元のユーザ端末に返信し、そのページＬＰ（ユーザが販売サイト１０に前回訪問したときに最後に見たページ）をブラウザ１ａを通じて表示部に表示する（ステップＳ９）。そして、ステップＳ５に戻り、ユーザ端末１との間のセッションが切断されるまで、ステップＳ６〜ステップＳ８の処理を繰り返し、セッションが切断された場合は、そのセッションにおける処理を終了する。
〈本発明の作用効果〉
以上のような処理形態とすることで、トップページを経由することなく瞬時に目的のページに誘導することが可能となる。詳しくは、前述の最終閲覧アドレス記録処理手段２１ａと、トップページ切替制御手段２１ｂとを備えることで、商品の購入者が販売サイト１０のトップページに訪れた瞬間に、前回訪れたときに最後に商品を閲覧したページに瞬間移動して、ユーザ端末１の画面上に最初に表示させることが可能となる。そのため、購入者は、販売サイトの再訪問時に瞬時に目的のページに辿り着くことができる。また、全ての商品をトップページに掲載しなくても、当該ユーザが前回最後に見たページを仮想トップページとして表示することが可能となる。その結果、全ての商品をトップページに掲載することができないポータルサイトなどにおいても、各種商品の情報群を複数の仮想トップページに分散して掲載することが可能となる。そのため、アクセスがトップページ以外にも分散するため、トップページ以外に掲載した商品でも販売できるチャンスが広がり、トップページ以外のページにもバナー広告などの収益も増加させることができるようになる。その結果、サイト全体の商品販売効率を大幅に改善することが可能となる。
また、ウェブサイトの運営者側に対しても、ＳＥＯ（Ｓｅａｒｃｈ  Ｅｎｇｉｎｅ  Ｏｐｔｉｍｉｚａｔｉｏｎ）対策の観点で大きなメリットを提供することができる。例えば、サイトのトップページのＵＲＬと同じＵＲＬで、様々な商品を表示し、購入者に訪れやすく購入しやすい仕組みを提供することで、サイトのトップページのＵＲＬのアクセス数が劇的に大きくなり、その結果、検索サイトの表示順位が上位に掲載されやすくなる効果が発生する。
また、商品のカテゴリまたはサブカテゴリ毎に、ＳＥＯ対策のキーワードを変化させれば、通常はサイトのトップページで設定できる数少ないＳＥＯ対策キーワードより遥かに多い多数のキーワードで検索サイトの上位にヒットする可能性が高くなり、サイトの知名度は上がり、当然のように商品の販売力も強化されることになる。さらに、そのサイトがバナー広告などの販売事業を行っていたとすれば、アクセス数が多く、且つ幅広いＳＥＯ対策キーワードで検索サイトに上位ヒットするサイトとなることで、広告収入は大幅に増加する可能性があると言える。
（ウェブページの構成例と端末側の画面遷移について）
次に、販売サイト１０において公開されるウェブページの構成について具体例を示して説明し、その説明の後、最初に販売サイト１０を訪問したときのユーザ端末１側の画面遷移と再訪問したときの画面遷移について、それぞれ説明する。
本実施の形態では、販売サイト１０は、百貨店のように様々な商品を取り扱うＥＣサイト（若しくはポータルサイト）であり、ページデータ保管データベース３０には、販売サイト１０に出品される各商品の情報（商品の解説文，商品画像，商品の購入情報）は、階層的にページ展開されて当該ページに掲載されると共に、商品のカテゴリやサブカテゴリを特定するためのカテゴリＩＤや、商品を特定するための商品ＩＤなどで関連付けられて記憶されている。
図５は商品の分類形態の一例を示す模式図であり、販売形態を示すサービス（Ｉ）は、ダウンロード販売、有料メールマガジン、物品販売などのサービスの種類を示し、カテゴリ（Ｊ）は、当該販売形態で販売される商品が属するカテゴリであり、例えば、「ビジネス・情報源」、「趣味・生活・雑誌」、「芸能・音楽」、「小説・ノンフィクション」等のカテゴリがあり。そして、サブカテゴリ（Ｌ）は、当該カテゴリ（Ｊ）に属する商品が属するサブカテゴリであり、例えば、カテゴリが「ビジネス・情報源」の場合は、サブカテゴリとしては、「投資・不動産」、「語学・資格」、「科学・人文」、「教育」、「インターネット」、「コンピュータ」等があり、カテゴリが「趣味・生活・雑誌」の場合は、サブカテゴリとしては、「占い・風水」、「エンタテイメント」、「趣味・スポーツ」、「教養・生き方」、「旅行・グルメ」、「暮らしと生活」、「ファッション・美容」、「雑誌・カタログ」、「恋愛・結婚」、「健康」等があり、カテゴリ（Ｊ）に属する商品は、サブカテゴリ別に分類されている。
そして、上記のように分類された商品（本例ではデジタルコンテンツ）の情報は、サービスＩＤ（ＳＶｉｄ）、カテゴリＩＤ（ＭＣｉｄ）、サブカテゴリＩＤ（ＳＣｉｄ）、及び、商品ＩＤ（Ｃｉｄ）に関連付けられて記憶されている。
図６は、トップページ部ＴＰとその下位層のリンクページ部ＬＰとの対応関係の一例を示す模式図ある。図６において、符号ＧＰは、当該商品の情報が掲載されるエリアを示し、（）内の数字は、‘１’が第１階層、‘２’が第２階層、‘３’が第３階層というように、リンクページ部ＬＰの階層を示す番号である。また、符号ＷＬは、他のページへのリンク部分を示し、符号ＣＬは、カテゴリの選択肢が表示されるカテゴリ選択メニューを示し、符号ＰＬは、当該階層（ｎ）における他のページ部へのページ切替ボタンを示している。
図６の例では、ウェブページは、販売対象商品のカテゴリの選択メニューＣＬを含むトップページ部ＴＰと、当該カテゴリに属する商品の解説情報が掲載された商品解説ページ部ＧＰ（１），ＧＰ（２）を含む２階層のリンクページ部ＬＰ（１），ＬＰ（２）と、当該商品の購入情報が掲載された商品購入ページ部を含む３階層目のリンクページ部ＬＰ（３）とから構成されている。そして、本例では、例えばバナー広告から成る第１の商品解説ページＧＰ（１）が、トップページ部ＴＰとリンクページ部ＬＰ（１）とに複数掲載され、例えば文字列や画像を用いた商品詳細情報から成る第２の商品解説ページＧＰ（２）が、リンクページ部ＬＰ（２）に複数掲載される構成としている。
また、第１の商品解説ページＧＰ（１）には、当該商品の第２の商品解説ページＧＰ（２）へのリンクＷＬ（１）が埋め込まれており、第２の商品解説ページＧＰ（２）には、当該商品の商品購入ページＧＰ（３）へのリンクＷＬ（２）が埋め込まれている。そして、図６中のカテゴリの選択肢ＣＬ、ページ切替ボタンＰＬ、及びリンクＷＬは、当該ページのページアドレスを含むリンク情報であり、ユーザ端末１側の画面上で、そのリンク情報部の指示操作がされると、そのリンク情報で示されるページアドレスに対応するページ部が、ユーザ端末１側の画面上に表示されるようになっている。
図７は、販売サイト１０のトップページの画面例を示す模式図である。同図を参照して、ユーザが最初に販売サイトを訪れたときのユーザ端末１側のディスプレイに表示される画面の遷移と、その販売サイトを再度訪れたときの画面の遷移について説明する。なお、ここでは、販売サイト１０において掲載される商品の情報が、図５に例示したように、販売形態（サービス），カテゴリ，及びサブカテゴリ別に予め分類されており、また、図６に例示したように、トップページ部ＴＰとその下位層のリンクページ部ＬＰとを用いて当該商品の情報が階層的にページ展開されている場合を例として説明する。
（１）最初に販売サイトを訪問したときの画面の遷移
ユーザによる検索エンジンでの検索、ＵＲＬの入力、あるいは、メールマガジンやウェブログ若しくはソーシャルネットワーキングサイトのページ上のリンク（広告バナー等）のクリック操作などによって、ユーザ端末１から販売サイト１０にアクセスすると、ウェブサーバ２０のウェブページ処理部２１では、販売サイトのトップページＨＰとして、図７に示すような書籍リストＧ１１を含むウェブページを送信し、ユーザ端末１のブラウザを介して画面上に表示させる。
トップページＨＰの画面上には、販売形態（ダウンロード販売、有料メールマガジン、物品販売）を示す画面切替ボタンＡ１と、キーワード検索用の入力欄Ａ２と、カテゴリ切替ボタン（若しくはスクロール表示式のカテゴリ選択欄）Ａ３と、当該カテゴリに属する書籍リストが表示される。図７の例は、電子書籍の「ダウンロード販売」におけるトップページの画面例を示しており、トップページＨＰとしては、総合（全カテゴリ）の書籍リストＧ１１が表示される。書籍リストＧ１１内のランキングの欄には、所定期間内で集計した電子書籍の販売数のランキングが表示される。図７中の「＞＞」のマークは、詳細説明（電子書籍の詳しい説明文など）の頁へのリンク情報であり、そのマークの横の文字部分（詳細）を指示すると、その頁が表示される。書籍リストＧ１１には、個々の書籍の公開情報（簡単な紹介情報、書籍のイメージ画像、発行者（個人，企業）の名称、詳細説明の頁へのリンク情報）が表示されると共、書籍の新着情報（例えば現在から１週間以内に新規登録された書籍の情報）が表示される。
このトップページＨＰの画面上で、例えば、カテゴリ切替ボタンＡ３内の「ビジネス・情報源」ボタンが指示されると、その指示操作に応じてリンク先のリンクページ部ＬＰへ移動し、そのリンクページ部ＬＰの画面として、「ビジネス・情報源」に属する書籍のリストが図７の書籍リストＧ１１と同様の形式で表示される。その場合のランキングは、「芸能・音楽」に属する書籍のランキングが表示される。
また、その画面上のサブカテゴリ切替ボタンによってサブカテゴリが指示されると、その指示操作に応じてリンク先のリンクページ部ＬＰへ移動し、そのリンクページ部ＬＰの画面として、そのサブカテゴリ（例えば「語学・資格」）に属する書籍のリストが、図７の書籍リストＧ１１と同様の形式で表示される。
また、図７中の「＞＞詳細」が指示されると、その指示操作に応じてリンク先のリンクページ部ＬＰへ移動し、その電子書籍の詳細を解説した商品解説ページ（図６中の第２の商品解説ページＧＰ（２）を含むリンクページ部ＬＰ（２）を参照）が表示される。
移動先の商品解説ページには購入ボタン（図６中のリンクＷＬ（２）を参照）が設けられており、その購入ボタンをユーザが指示すると、その指示操作に応じてリンク先のリンクページ部ＬＰへ移動し、その電子書籍の購入ページ（図６中の商品購入ページＧＰ（３）を含むリンクページ部ＬＰ（３）を参照）が表示される。ユーザが電子書籍を購入する場合は、その購入ページの画面の案内に従って情報（購入代金の決済形態等）を入力し、所望の電子書籍を購入する。
本実施の形態では、上記のようなユーザ端末１側での指示操作に応じて他のページの画面に遷移する毎に、遷移先のページアドレスが最終閲覧アドレスとして端末側記憶部１ｂに記録される。
（２）販売サイトを再訪問したときの画面の遷移
ユーザによる検索エンジンでの検索、ＵＲＬの入力、あるいは、メールマガジンやウェブログ若しくはソーシャルネットワーキングサイトのページ上のリンク（広告バナー等）のクリック操作などによって、ユーザ端末１から販売サイト１０のトップページに対するアクセス要求（データの取得要求）を受け付けると、ウェブサーバ２０のウェブページ処理部２１では、アクセス要求に含まれるアクセス先ＵＲＬ（パス名の有無）の情報に基づいてトップページのアクセス要求か否かを判定し、トップページのアクセス要求の場合は、ユーザ端末１のブラウザ１ａから受け取った情報（本例ではクッキーの情報）に基づいて、当該ユーザが販売サイト１０を再訪問したか否かを判定する。そして、再訪問と判定した場合は、ブラウザ１ａから受け取った情報に含まれる最終閲覧アドレスで示されるページの画面データをユーザ端末１に返信し、最終閲覧アドレスで示されるページをトップページの替わりにユーザ端末１のディスプレイ上に表示する。
例えば、最終閲覧アドレスで示されるページが、（ａ）サブカテゴリに属する書籍のリストを示すページの場合は、そのページの画面が表示され、（ｂ）電子書籍の詳細を解説した商品解説ページの場合は、その商品解説ページの画面が表示され、（ｃ）商品購入ページの場合は、その商品購入ページの画面が表示される、というように、前回最後に表示されたウェブページがトップページの替わりに表示される。その後は、ユーザ端末１側での指示操作に応じて他のページの画面に遷移する毎に、遷移先のページアドレスが最終閲覧アドレスとして端末側記憶部１ｂに記録され、次にユーザが販売サイト１０のトップページを訪問した時には、同様に、上記最終閲覧アドレスに対応するページが最初に表示される。
以上のように、本発明では、ウェブサイトに当該ユーザが再び訪れた瞬間に、ウェブサイトのトップページを経由することなく、前回訪れた際の最終閲覧ページに瞬時に誘導させることができる。
なお、上述した実施の形態では、トップページを経由せずに直接リンクページ部へのアクセス要求があった場合も最終閲覧アドレスを記録する形態を例として説明したが、最初のウェブサイトの訪問時（最終閲覧アドレスが記録されていない時）に、直接リンクページ部へのアクセス要求があった場合は、最終閲覧アドレスを記録しない形態としても良い。
また、上述した実施の形態では、百貨店のように各種の商品を１つのウェブサイト（ポータルサイト）で取り扱う場合を例として説明したが、複数の店舗サイト（当該商品の広告主のウェブサイト）とポータルサイトとを備え、サイト毎にウェブサーバを有するシステム構成の場合には、前述の最終閲覧アドレス記録処理手段２１ａとトップページ切替制御手段２１ｂとを、ポータルサイトと店舗サイトの両方に設ける形態としても良い。
さらに、上述した実施の形態では、本発明に係るウェブページ誘導方法を商品販売システムに適用した場合を例として説明したが、商品販売システムに限るものではなく、ウェブブラウザなどのクライアントソフトウェアの要求に応じて所定の情報を返信する機能を有するコンピュータであれば、任意のコンピュータに適用することができる。例えば、本発明に係るウェブページ誘導方法又はプログラムは、販売機能を持たない商品情報の提供システム、商品情報に限らない一般の情報提供システム、ユーザ端末に搭載される一般のアプリケーションソフトウェアにも適用することが可能である。
【符号の説明】
【００１０】
１Ａ  ユーザ（商品の購入希望者）
１Ｂ  アフィリエイタ
１  ユーザ端末
１ａ  ブラウザ
１ｂ  端末側記憶部
２  ネットワーク
３  商品販売システム
１０  ウェブサイト（販売サイト）
２０  ウェブサーバ
２１  ウェブページ処理部
２１ａ  最終閲覧アドレス記録処理手段
２１ｂ  トップページ切替制御手段
２２  商品販売処理部
２２ａ  メールマガジン配信手段
２２ｂ  ダウンロード販売手段
３０  ページデータ保管データベース
ＴＰ  ウェブページのトップページ部
ＬＰ  ウェブページのリンクページ部（トップページ部以外のページ部）
ＧＰ  商品解説ページ
ＷＬ  ウェブページ上のリンク部
【図１】
2010100765.tif 000003
【図２】
2010100765.tif 000004
【図３】
2010100765.tif 000005
【図４】
2010100765.tif 000006
【図５】
2010100765.tif 000007
【図６】
2010100765.tif 000008
【図７】
2010100765.tif 000009
【国際調査報告】
2010100765.tif 000010
2010100765.tif 000011
2010100765.tif 000012
2010100765.tif 000013